(57)【要約】【課題】予備品を迅速に納入する契約を交わした顧客に対して、予備品を顧客に納入するまでの期間を明示する。【解決手段】コンピュータが、事業者が運用するサイトに含まれる装置をリプレイスするための予備品の予約権を、前記事業者に対して発行し、予約権を有する事業者から装置のリプレイス要望を取得すると、予備品の在庫を確認し、予備品が在庫されていない場合などに新たな予備品の補充納期を製造会社から取得し、予備品を事業者のサイトに納入するまでの期間を算出する。【選択図】図５
2020191025.tif 000002
【特許請求の範囲】
【請求項１】
事業者が運用するサイトに含まれる装置をリプレイスするための予備品の予約権を、前記事業者に対して発行する発行部と、
前記予約権を有する事業者から前記装置のリプレイス要望を取得すると、前記予備品の在庫を確認する確認部と、
新たな予備品の補充納期を製造会社から取得する取得部と、
前記予備品を当該事業者のサイトに納入するまでの期間を算出する納期算出部と、
を備えることを特徴とする予約権契約システム。
【請求項２】
在庫されている前記予備品の状態を各事業者に対して報知する報知部を更に備える、
ことを特徴とする請求項１に記載の予約権契約システム。
【請求項３】
在庫されている前記予備品を前記事業者のサイトに運搬するまでの輸送期間を演算する輸送期間算出部を更に備える、
ことを特徴とする請求項１に記載の予約権契約システム。
【請求項４】
前記輸送期間算出部は、前記予備品の保管庫から前記事業者のサイトまでの輸送ルートの気象条件に基づき、納期を調整する、
ことを特徴とする請求項３に記載の予約権契約システム。
【請求項５】
各事業者が運用するサイトに含まれる各装置の状態を計測する計測部と、
前記計測部が計測した状態に応じて当該装置の余寿命を算出する余寿命算出部と、
を備え、
前記取得部は、前記余寿命が標準補充日数よりも小さいならば、新たな予備品の補充納期を製造会社から取得する、
ことを特徴とする請求項１に記載の予約権契約システム。
【請求項６】
前記予備品が在庫されていない場合、違約金を計算する違約金計算部、
を更に備えることを特徴とする請求項１に記載の予約権契約システム。
【請求項７】
前記違約金計算部は、前記予備品が前記事業者のサイトに納品されるまでの日数に応じた違約金を計算する、
ことを特徴とする請求項６に記載の予約権契約システム。
【請求項８】
コンピュータが、
事業者が運用するサイトに含まれる装置をリプレイスするための予備品の予約権を、前記事業者に対して発行するステップと、
前記予約権を有する事業者から前記装置のリプレイス要望を取得すると、前記予備品の在庫を確認するステップと、
新たな予備品の補充納期を製造会社から取得するステップと、
予備品を前記事業者のサイトに納入するまでの期間を算出するステップと、
を実行することを特徴とする予約権契約方法。
【発明の詳細な説明】
【技術分野】
【０００１】
本発明は、予約権契約システムおよび予約権契約方法に関する。
【背景技術】
【０００２】
独立系発電業者（Independent Power Producer事業者、以下「ＩＰＰ事業者」と記載する）は、売電のための発電設備を保有している事業者のことである。ＩＰＰ事業者は、小口のエネルギー生産者など私有の企業、共同体であり、エネルギー産業上の懸念がなく、電力系統に余剰なエネルギーを供給する企業である。
【０００３】
このようなＩＰＰ事業者が管理する発電設備の主変圧器で火災事故などが発生した場合を考える。主変圧器は、発電機等の主機と主回路で接続されており、万が一故障が発生した場合、発電設備は電力を供給できなくなる。また近年、各国で送配電分離の取り組みが進んでいるので、主変圧器の事故発生時には他の系統が使用できない場合がある。そのような場合、代替品の変圧器の製造には時間を要し、この発電設備が稼働できない期間において多額の損失が発生する。
【０００４】
このような事態を回避するため、各ＩＰＰ事業者が、主変圧器の予備機器を維持・保管することが考えられる。これにより、ＩＰＰ事業者は、事業リスクを大幅に低減出来る。しかし、主変圧器の予備機器は高価なので、ＩＰＰ事業者が予備機器を維持・保管することにより、ＲＯＡ（総資産利益率：Return On Assets）やキャッシュフロー等、財務上の悪化を引き起こすおそれがある。
【０００５】
そこで、例えばリース会社などが主変圧器の予備機器を維持・保管すると共に、保管した予備機器の予約権を、各ＩＰＰ事業者と契約することが考えられている。これにより、各ＩＰＰ事業者は、自らが主変圧器の予備機器を維持・保管することなく、事故発生時には迅速に変圧器の予備機器の調達を受けることができる。
【０００６】
これに類似するビジネススキームの例は、特許文献１に記載されている。特許文献１には、在庫管理の実行と責任を納入業者が負担することで納入先顧客と納入業者の在庫管理を効率化し無駄を排することで双方に利益を確保できるような在庫管理および納入先在庫量保証サービスの提供システムとその方法が記載されている。
【先行技術文献】
【特許文献】
【０００７】
【特許文献１】特開２００４−３３８９２６号公報
【発明の概要】
【発明が解決しようとする課題】
【０００８】
特許文献１に記載されている発明は、納入先顧客の視点から見て、物品の調達を受けるまでの期間を知ることができない。
【０００９】
そこで、本発明は、予約権契約システムおよび予約権契約方法において、予備品を顧客に納入するまでの期間を明示すること課題とする。
【課題を解決するための手段】
【００１０】
前記した課題を解決するため、本発明の予約権契約システムは、事業者が運用するサイトに含まれる装置をリプレイスするための予備品の予約権を、前記事業者に対して発行する発行部と、前記予約権を有する事業者から前記装置のリプレイス要望を取得すると、前記予備品の在庫を確認する確認部と、前記予備品が在庫されていない場合、新たな予備品の補充納期を製造会社から取得する取得部と、前記予備品を当該事業者のサイトに納入するまでの期間を算出する納期算出部とを備えることを特徴とする。
【００１１】
本発明の予約権契約方法は、コンピュータが、事業者が運用するサイトに含まれる装置をリプレイスするための予備品の予約権を、前記事業者に対して発行するステップと、前記予約権を有する事業者から前記装置のリプレイス要望を取得すると、前記予備品の在庫を確認するステップと、新たな予備品の補充納期を製造会社から取得するステップと、予備品を前記事業者のサイトに納入するまでの期間を算出するステップと、を実行することを特徴とする。
その他の手段については、発明を実施するための形態のなかで説明する。
【発明の効果】
【００１２】
本発明によれば、予備品を顧客に納入するまでの期間を明示することが可能となる。
【図面の簡単な説明】
【００１３】
【図１】本実施形態のビジネススキームを示す図である。
【図２】本実施形態に係る事故時の情報と物のやり取りの一例を示す図である。
【図３】ポータルサイトのサーバのブロック図である。
【図４】ポータルサイトを示すシステム構成図である。
【図５】ポータルサイトの全体処理を示すフローチャートである。
【図６】予約権発行処理の詳細を示すフローチャートである。
【図７】ポータルサイトのＩＰＰ事業者マイページを示す画面例である。
【図８Ａ】納期算出処理と在庫切れによる違約金の計算処理を示すフローチャート（その１）である。
【図８Ｂ】納期算出処理と在庫切れによる違約金の計算処理を示すフローチャート（その２）である。
【図９】輸送期間調整テーブルの一例を示す図である。
【図１０】違約金の算出処理の詳細を示す一例を示すフローチャートである。
【図１１】変圧器監視を活用した予兆診断による保管庫在庫最適化を示すフローチャートである。
【図１２】余寿命の算出方法を示すグラフの一例である。
【発明を実施するための形態】
【００１４】
以降、本発明を実施するための形態を、各図を参照して詳細に説明する。
図１は、本実施形態のビジネススキームを示す図である。
製造会社６は、変圧器を販売する。リース会社５は、製造会社６から変圧器を購入し、在庫として所有する（Ｓ１００）。保管場所は、各ＩＰＰ事業者７に運搬しやすい場所が望ましい。
【００１５】
そして、ＩＰＰ事業者７とリース会社５間で、予約権契約を複数年に亘って締結する（Ｓ１０１）。この契約に基づき、ＩＰＰ事業者７は、リース会社５にリテイナー費用を年次で支払う（Ｓ１０２）。このリテイナー費用は、ボリュームゾーンほど安価に設定される。リース会社５は、在庫品の変圧器を絶縁油入り状態で保管し、かつ定期的にメンテナンスを実施する。そして、売買予約権契約を締結したＩＰＰ事業者７の変圧器は、状態把握の為、リース会社５が運用するシステムに遠隔監視される。変圧器の事故率は非常に低い。それゆえ、確率論的に事故が多いＩＰＰ事業者７を特定することは困難である。よって、変圧器の遠隔監視により、故障の予兆を診断する。
【００１６】
そして、変圧器の事故の際、ＩＰＰ事業者７は、この予約権契約に基づきリース会社５との間で短納期売買契約を締結する。この短納期売買契約に基づき、リース会社５は、在庫品をＩＰＰ事業者７へ納入し（Ｓ１０３）、ＩＰＰ事業者７は、機器代金を支払う（Ｓ１０４）。
【００１７】
図２は、本実施形態に係る事故時の情報と物のやり取りの一例を示す図である。
最初、ＩＰＰ事業者７は、リース会社５に、リプレイス要望を通知する（Ｓ１１１）。
リース会社５は、保管庫５１の管理業者に対象製品を連絡し（Ｓ１１２）、輸送業者５２に変圧器の運搬を指示する（Ｓ１１３）。これによりリース会社５は、輸送業者５２および保管庫５１の状況に基づき、計算機を用いて納入期限の情報を算出する。リース会社５は、ＩＰＰ事業者７に納入期限を連絡し（Ｓ１１４）、更に到着日時を連絡する（Ｓ１１５）。リース会社５と保管庫５１の管理業者とのやり取りはメールなど情報通信が想定される。
【００１８】
輸送業者５２は、保管庫５１の管理業者に変圧器の引き取りを連絡する（Ｓ１１６）。その後、輸送業者５２は、保管庫５１から変圧器を運搬する（Ｓ１１７）。リース会社５は、予めルート、天候及び機種に応じて各変圧器に最適な運搬方法を策定しているので、保管場所及び輸送ルートは、輸送業者５２が検討する必要はない。輸送業者５２は、予め策定された運搬方法に沿って、ＩＰＰ事業者７の発電設備まで変圧器を運搬して納品する（Ｓ１１８）。
【００１９】
リース会社５は、製造会社６に変圧器を補充するように連絡する（Ｓ１１９）。製造会社６は、保管庫５１に変圧器を補充して（Ｓ１２０）、納入した旨をリース会社５に連絡する（Ｓ１２１）。
【００２０】
顧客であるＩＰＰ事業者７との契約締結段階で、保管庫５１に保管される変圧器のラインナップは決定済みである。変圧器の在庫数は、各変圧器の事故率、故障データから決定する。日本国内において、変圧器の事故発生頻度は約１回／年である。本システムは、各ＩＰＰ事業者７のアセットマネジメントとして、変圧器の事故の発生回数や発生時期などを管理する。そして、在庫からの変圧器の選択方法は、顧客による選択や、同一電圧かつ直近でメンテされたものを優先的に選択することなどが考えられる。
【００２１】
保管庫５１に保管された変圧器で納入できることが重要であるものの、欠品などやむを得ない場合は免責として対応する。なお、欠品などにより変圧器を短納期でＩＰＰ事業者７のサイトに納入できなかった場合、違約金として、それまで支払われたリテイナー費用の返却または倍返しなどの条件にしてもよい。これにより、ＩＰＰ事業者７が本契約を受け入れる可能性を増やすことができる。
【００２２】
ＩＰＰ事業者７ごとに変圧器の仕様が異なるため、変圧器の在庫は２〜３クラスに大別して保管する。変圧器は、各クラスで複数台を在庫しておくとよい。これにより、変圧器の事故が連続して発生した場合でも、欠品を防ぐことができる。
現地での変圧器の設置は、変圧器の基礎部分（アジャスタ）と変圧器本体を現地へ持ち込み、その場で組立てる。
【００２３】
図３は、ポータルサイトのサーバ１のブロック図である。
サーバ１は、ＣＰＵ（Central Processing Unit）１１と、ＲＯＭ（Read Only Memory）１２と、ＲＡＭ（Random Access Memory）１３と、記憶部１６と、通信部１７とを備えている。このサーバ１は、図４に示す予約権契約システムＳのポータルサイトの処理部として動作する。
【００２４】
ＣＰＵ１１は、ＲＯＭ１２やＲＡＭ１３や記憶部１６に格納されたプログラムを実行し、ＲＯＭ１２やＲＡＭ１３や記憶部１６に格納されたデータを処理するものである。
ＲＯＭ１２は、不揮発性メモリで構成されており、例えばＢＩＯＳ（Basic Input/Output System）を格納する。ＲＡＭ１３は、揮発性メモリで構成されており、プログラムが一時的に格納する変数等に用いられる。記憶部１６は、例えばハードディスクやＳＳＤ（Solid State Drive）などの大容量記憶装置で構成されており、内部に予約権契約プログラム１６１、変圧器情報１６２、予備品情報１６３、輸送ルート１６４、管理情報１６５、輸送期間調整テーブル１６６を格納している。
【００２５】
予約権契約プログラム１６１は、ＣＰＵ１１によって実行されることにより、図４に示す予約権契約システムＳのポータルサイトの処理を具現化する。
変圧器情報１６２は、各ＩＰＰ事業者７が運用する発電設備に含まれる変圧器の情報である。予備品情報１６３は、各ＩＰＰ事業者７が運用する発電設備に適用可能な予備品の情報である。輸送ルート１６４は、保管庫５１からＩＰＰ事業者７が運用する発電設備までの輸送ルートの情報である。
【００２６】
管理情報１６５は、各ＩＰＰ事業者７に関する変圧器情報１６２と予備品情報１６３と輸送ルート１６４とを紐づけた情報である。輸送期間調整テーブル１６６は、各輸送ルートと気象条件に応じた輸送期間が格納されたテーブルである。
【００２７】
サーバ１は更に、入力部１４と、表示部１５とを備えている。
入力部１４は、例えばキーボードやマウスなどであり、このサーバ１に各種情報を入力するために用いられる。
表示部１５は、例えば液晶ディスプレイなどであり、このサーバ１が処理結果などを表示するために用いられる。
通信部１７は、例えばＮＩＣ（Network Interface Card）などであり、このサーバ１が外部の端末やＩｏＴ（Internet Of Things）センサとの間でデータを送受信するために用いられる。
【００２８】
図４は、ポータルサイトを示すシステム構成図である。
ポータルサイトは、予約権契約システムＳと、これに接続した端末２１〜２３と、変圧器３の状態を検知するセンサ３１とを含んで構成される。センサ３１は、各ＩＰＰ事業者７が運用するサイトに含まれる各変圧器３の状態を計測する計測部として機能する。
端末２１は、図１および図２に示したＩＰＰ事業者７が管理している。端末２２は、リース会社５が管理している。端末２３は、製造会社６が管理している。なお、保管庫５１の管理業者および輸送業者５２は、直接にポータルサイトにアクセスすることはなく、リース会社５からの連絡によって保管および輸送を行う。
【００２９】
予約権契約システムＳは、図３のサーバ１を含んで構成される。予約権契約システムＳは、センサ３１を用いたリモートモニタリングによって変圧器３の状態を取得し、よって変圧器３の故障の予兆を検知する。変圧器３は、機器の故障である絶縁破壊の前段として、部分放電と呼ばれる散発的な放電現象が発生する。予約権契約システムＳのサーバ１は、部分放電その様相を観測、監視することにより、変圧器３の故障の予兆を捉えることができる。予約権契約システムＳは、実際には複数のＩＰＰ事業者７が管理している変圧器３をリモートモニタリングしているが、図４では簡略化のため、単一のＩＰＰ事業者７のみを表記している。但し、部分放電を観測、監視する方法は、変圧器の故障予兆を捉える方法の一例である。変圧器の故障予兆を捉える他の方法には、変圧器内部の油中ガスを分析する方法がある。
【００３０】
予約権契約システムＳは更に、気象情報サイト４と通信可能に接続されており、未来の気象の予測情報を取得する。これにより変圧器３の予備品の輸送期間を調整することができる。
【００３１】
図５は、ポータルサイトの全体処理を示すフローチャートである。ＩＰＰ事業者７が端末等によってポータルサイトにアクセスすると、図５の処理が開始する。
サーバ１のＣＰＵ１１は、予約権が発行済であるか否かを問い合わせる画面を端末に表示させ（Ｓ１０）、ユーザであるＩＰＰ事業者７の入力を待つ。サーバ１のＣＰＵ１１は、予約権が発行済でないならば（Ｎｏ）、対象となる予備品の予約権の発行処理を行い（Ｓ１１）、ステップＳ１２の処理に進む。このステップＳ１１の処理は、後記する図６で詳細に説明する。予約権の発行により、ＩＰＰ事業者７とリース会社５との間に、予約権の契約が締結される。
ここでＣＰＵ１１は、ＩＰＰ事業者７が運用するサイトに含まれる装置をリプレイスするための予備品の予約権を、このＩＰＰ事業者７に対して発行する発行部として機能する。
サーバ１のＣＰＵ１１は、予約権が発行済ならば（Ｙｅｓ）、ステップＳ１２の処理に進む。
【００３２】
ステップＳ１２において、ＣＰＵ１１は、ＩＰＰ事業者７からのリプレイス要望を取得したか否かを判定する。ＣＰＵ１１は、ＩＰＰ事業者７からのリプレイス要望を取得していないならば（Ｎｏ）、図５の処理を終了する。ＣＰＵ１１は、ＩＰＰ事業者７からのリプレイス要望を取得したならば（Ｙｅｓ）、ステップＳ１３に進む。
【００３３】
ＣＰＵ１１は、管理情報１６５を照合して（Ｓ１４）、リプレイス対象となる変圧器情報１６２と予備品情報１６３と輸送ルート１６４を特定し、保管庫５１に該当する予備品の在庫があるか否かを確認する（Ｓ１４）。
【００３４】
ＣＰＵ１１は、保管庫５１に、対象機器である予備品の在庫が有るか否かを判定する（Ｓ１５）。具体的にいうと、ＣＰＵ１１は、リース会社５の端末２２の要求に応じて保管庫５１の在庫情報の管理画面を表示する。リース会社５は、端末２２を介して、予め保管庫５１の在庫情報を入力している。サーバ１の記憶部１６には、予備品の在庫情報が格納されている。
ＣＰＵ１１は、保管庫５１に対象機器の在庫があるならば（Ｙｅｓ）、ステップＳ１８の処理に進む。ＣＰＵ１１は、保管庫５１に対象機器の在庫が無いならば（Ｎｏ）、ステップＳ１６の処理に進む。
ここでＣＰＵ１１は、予約権を有するＩＰＰ事業者７から装置のリプレイス要望を取得すると、予備品の在庫を確認する確認部として機能する。
【００３５】
ステップＳ１６において、ＣＰＵ１１は、製造会社６に納期を問い合わせる。ＣＰＵ１１は、変圧器３を保管庫５１に補充する納期を製造会社６から取得する（Ｓ１７）。その後、製造会社６は、この変圧器３の製造完了後に保管庫５１に補充する。
ＣＰＵ１１は、予備品が在庫されていない場合、新たな予備品の補充納期を製造会社６から取得する取得部として機能する。
【００３６】
ステップＳ１８において、ＣＰＵ１１は、保管庫５１からＩＰＰ事業者７のサイト（発電設備）までの輸送ルート１６４を取得する。ＣＰＵ１１は、在庫されている予備品をＩＰＰ事業者７のサイトに運搬するまでの輸送期間を演算する輸送期間算出部として機能する。
ＣＰＵ１１は、納期を演算し（Ｓ１９）、ＩＰＰ事業者７の端末２１上に必要情報を表示すると（Ｓ２０）、図５の処理を終了する。ここで必要情報とは、予備品の納期、現在の管理情報、予約権の発行情報やステータスなどであり、例えば後記する図７に示したマイページ８上に表示される。なお、ＣＰＵ１１は、状況によっては必要情報を端末２２や端末２３へ表示を行う場合がある。
ＣＰＵ１１は、予備品をＩＰＰ事業者７のサイトに納入するまでの期間を算出する納期算出部として機能する。
【００３７】
上記した一連の処理により、顧客であるＩＰＰ事業者７と、管理者であるリース会社５の情報を一元管理でき、予約権の状況や納期を見える化することができる。
【００３８】
図６は、予約権発行処理の詳細を示すフローチャートである。
ステップＳ３０において、ＣＰＵ１１は、変圧器情報取得画面を端末２１に表示する。ＩＰＰ事業者７は、入力画面に所定の入力を行う。ＣＰＵ１１は、入力された情報を変圧器情報１６２として取得する。
【００３９】
ステップＳ３１において、ＣＰＵ１１は、予備品情報取得画面を端末２１に表示する。ＩＰＰ事業者７は、この予備品情報取得画面に所定の入力を行う。ＣＰＵ１１は、入力された情報を予備品情報１６３として取得する。
【００４０】
ステップＳ３２において、ＣＰＵ１１は、サイト情報取得画面を端末２１に表示する。ここでサイトとは、ＩＰＰ事業者７が運用する発電設備のことをいう。ＩＰＰ事業者７は、このサイト情報取得画面に所定の入力を行う。ＣＰＵ１１は、入力された情報に基づいて、保管庫５１からサイトまでの輸送ルートを検索し（Ｓ３３）、輸送ルート１６４を特定する。
なお、変圧器情報１６２の取得と、予備品情報１６３の取得と、サイト情報の取得の順序は、上記に限られず、任意の順序であってもよい。
【００４１】
ステップＳ３４において、ＣＰＵ１１は、変圧器情報１６２と予備品情報１６３と輸送ルート１６４とを紐付けて、管理情報１６５を生成する。その後、ＣＰＵ１１は、対象となる予備品の予約権を発行し（Ｓ３５）、図６の処理を終了する。
【００４２】
図７は、ポータルサイトのＩＰＰ事業者７向けのマイページ８を示す画面例である。
このマイページ８は、例えばＩＰＰ事業者７の端末２１上に表示される画面である。マイページ８は、上から順に、ログイン情報領域８０と、契約情報領域８１と、保管庫情報領域８３とを含んで構成される。
【００４３】
ログイン情報領域８０は、マイページ８のタイトルバーの直下に位置しており、ログイン中のＩＰＰ事業者７の名前を表示する領域である。
契約情報領域８１は、ログイン情報領域８０の直下に位置しており、変圧器情報８１１〜８１３と、リプレイス要望ボタン８２１〜８２３を表示する。
【００４４】
変圧器情報８１１には、変圧器Ａ−１に係る情報が実線の矩形で囲われて表示されており、この変圧器Ａ−１か契約中であることが示されている。変圧器情報８１１の直下には、リプレイス要望ボタン８２１が表示されている。このリプレイス要望ボタン８２１のクリックにより、リース会社５に対して変圧器Ａ−１のリプレイス要望が伝えられる。
【００４５】
変圧器情報８１２には、変圧器Ｂ−１に係る情報が破線の矩形で囲われて表示されており、この変圧器Ｂ−１か契約中でないことが示されている。変圧器情報８１２の直下には、リプレイス要望ボタン８２２が無効表示されており、リプレイス要望を出せないことを示している。
【００４６】
変圧器情報８１３には、変圧器Ｃ−１に係る情報が破線の矩形で囲われて表示されており、この変圧器Ｃ−１か契約中でないことが示されている。変圧器情報８１３の直下には、リプレイス要望ボタン８２３が無効表示されており、リプレイス要望を出せないことを示している。
【００４７】
ＩＰＰ事業者７は、変圧器３の故障発生時には、変圧器３の修理を行うかリプレイスするかを判断する余地がある。ＩＰＰ事業者７が、故障した変圧器３をリプレイスする際には、ポータルサイトのＩＰＰ事業者７のマイページ８に表示されるリプレイス要望ボタン８２１〜８２３などで、リース会社５などに連絡する。
【００４８】
保管庫情報領域８３には、予備品情報８３１〜８３３が表示されている。
予備品情報８３１は、予備機器１の情報であり、その電圧と容量と寸法とが表示されている。このように詳細な諸元を示すことにより、この予備機器１が在庫中であることを示している。
予備品情報８３２は、予備機器２の情報であり、出荷予定であることが表示されている。
予備品情報８３３は、予備機器３の情報であり、出荷済であることが表示されている。
【００４９】
マイページ８の保管庫情報領域８３は、各ＩＰＰ事業者７に公開された場であり、予約権の行使状況が把握できる。このようにマイページ８に表示することで、予約権契約システムＳは、各ＩＰＰ事業者７に対して、契約権の行使を公平かつ常時宣言する。
なお、保管庫情報領域８３は、「誰が」予約権を行使したかを公開しておらず、誰かが行使したことがわかるように表示されている。
ＣＰＵ１１と端末２１は、在庫されている予備品の状態を各事業者に対して報知する報知部として機能する。
【００５０】
図８Ａと図８Ｂは、納期算出処理と在庫切れによる違約金の計算処理を示すフローチャートである。ＩＰＰ事業者７が端末等によってポータルサイトにアクセスすると、図８Ａと図８Ｂの処理が開始する。
サーバ１のＣＰＵ１１は、予約権が発行済であるか否かを問い合わせる画面を端末に表示させ（Ｓ４０）、ユーザであるＩＰＰ事業者７の入力を待つ。サーバ１のＣＰＵ１１は、予約権が発行済でないならば（Ｎｏ）、対象となる予備品の予約権の発行処理を行う（Ｓ４１）。予約権の発行により、ＩＰＰ事業者７とリース会社５との間に、予約権の契約が締結される。
サーバ１のＣＰＵ１１は、予約権が発行済ならば（Ｙｅｓ）、ステップＳ４２の処理に進む。
【００５１】
ステップＳ４２において、ＣＰＵ１１は、ＩＰＰ事業者７からのリプレイス要望を取得したか否かを判定する。ＣＰＵ１１は、ＩＰＰ事業者７からのリプレイス要望を取得していないならば（Ｎｏ）、図８Ａと図８Ｂの処理を終了する。ＣＰＵ１１は、ＩＰＰ事業者７からのリプレイス要望を取得したならば（Ｙｅｓ）、ステップＳ４３に進む。
【００５２】
ＣＰＵ１１は、管理情報１６５を照合して（Ｓ４３）、リプレイス対象となる変圧器情報１６２と予備品情報１６３と輸送ルート１６４を特定し、保管庫５１に該当する予備品の在庫があるか否かを確認する（Ｓ４４）。
【００５３】
ＣＰＵ１１は、保管庫５１に、対象機器である予備品の在庫が有るか否かを判定する（Ｓ４５）。ＣＰＵ１１は、保管庫５１に対象機器の在庫があるならば（Ｙｅｓ）、ステップＳ５１の処理に進む。ＣＰＵ１１は、保管庫５１に対象機器の在庫が無いならば（Ｎｏ）、ステップＳ４６の処理に進む。
【００５４】
ステップＳ４６において、ＣＰＵ１１は、製造会社６に納期を問い合わせる。ＣＰＵ１１は、変圧器３を保管庫５１に補充する納期を製造会社６から取得する（Ｓ４７）。ＣＰＵ１１は、違約金を計算すると（Ｓ４８）、納期と違約金とをリース会社５に回答する（Ｓ４９）。ステップＳ４７の違約金の計算処理は、後記する図１０で詳細に説明する。ＣＰＵ１１は、予備品が在庫されていない場合、違約金を計算する違約金計算部として機能する。
ステップＳ４６の処理の後、製造会社６は、この変圧器３の製造完了後に保管庫５１に補充する。
【００５５】
次にＣＰＵ１１は、ＩＰＰ事業者７が継続してリプレイスを要望しているか否かを判定する（Ｓ５０）。ＣＰＵ１１は、ＩＰＰ事業者７が継続してリプレイスを要望していないならば（Ｎｏ）、図８Ｂの処理を終了する。ＣＰＵ１１は、ＩＰＰ事業者７が継続してリプレイスを要望しているならば（Ｙｅｓ）、図８ＢのステップＳ５１の処理に進む。
【００５６】
ステップＳ５１において、ＣＰＵ１１は、保管庫５１からＩＰＰ事業者７のサイト（発電設備）までの輸送ルート１６４を取得する。ＣＰＵ１１は、在庫されている予備品を前記事業者のサイトに運搬するまでの輸送期間を演算する輸送期間算出部として機能する。
ＣＰＵ１１は、気象情報サイト４から気象情報を取得し（Ｓ５２）、通常納期を演算し（Ｓ５３）、輸送期間調整テーブル１６６を参照して障害情報による納期調整を行う（Ｓ５４）。
【００５７】
図９は、輸送期間調整テーブル１６６の一例を示す図である。
輸送期間調整テーブル１６６は、各経路と気象情報に応じた輸送期間との対応が示されたテーブルである。
倉庫からＸ港までの輸送期間は、通常は７日であるが、降水時や降雪時には１４日間掛かる。Ｘ港からＹ発電所までの輸送期間は、通常は４日であるが、降水時には８日掛かり、降雪時には１６日間掛かる。Ｘ港からＺ発電所までの輸送期間は、通常は８日であるが、降水時には１６日掛かり、降雪時には輸送不能となる。ＣＰＵ１１は、各輸送ルートをこの輸送期間調整テーブル１６６の経路に当てはめて、各経路と気象情報の組合せによって算出した輸送期間を算出する。これによりＣＰＵ１１は、障害情報による納期調整を行うことができる。
【００５８】
図８Ｂに戻り説明を続ける。ＣＰＵ１１は、ＩＰＰ事業者７の端末２１上に必要情報を表示すると（Ｓ５５）、図８Ｂの処理を終了する。ここで必要情報とは、予備品を当該ＩＰＰ事業者７のサイトに納入するまでの日数（納期）、現在の管理情報、予約権の発行情報やステータスなどであり、例えば図７に示したマイページ８上に表示される。
【００５９】
図１０は、違約金の算出処理の詳細を示す一例を示すフローチャートである。この違約金の算出処理は、図８ＡのステップＳ４７の処理に該当する。
ＣＰＵ１１は、予備品をＩＰＰ事業者７のサイトに納入するまでの納入日数（納期）が免責可能な日数であるか否かを判定する（Ｓ６０）。ＣＰＵ１１は、納入日数が免責可能な日数ならば（Ｙｅｓ）、図１０の処理を終了する。
ＣＰＵ１１は、納入日数が免責可能な日数でないならば（Ｎｏ）、違約金レベルの判定処理を行い（Ｓ６１）、違約金レベルに応じて多重分岐する（Ｓ６２）。違約金レベルの判定処理とは、例えば納入日数から免責可能な日数を減算して、得られた日数から違約金レベルを判定する処理のことをいう。
【００６０】
ステップＳ６２において、ＣＰＵ１１は、違約金レベルが１未満ならば、レベル１の違約金を確定し（Ｓ６３）、図１０の処理を終了する。以下同様にＣＰＵ１１は、違約金レベルがｎ未満ならば、レベルｎの違約金を確定し（Ｓ６４）、図１０の処理を終了する。ＣＰＵ１１は、違約金レベルがｎ以上ならば、最大レベルの違約金を確定し（Ｓ６５）、図１０の処理を終了する。
なお、違約金レベルの決定方法は、予備品を当該ＩＰＰ事業者７のサイトに納入するまでの日数に限られない。保管庫５１に対象機器である予備品の在庫が欠品しているとき、その在庫を保管庫５１に補充するまでの期間（補充日数）によって、違約金レベルを決定してもよい。
【００６１】
図１１は、変圧器監視を活用した予兆診断による保管庫在庫最適化を示すフローチャートである。ＣＰＵ１１は、この処理を所定周期で定常的に実施する。
ＣＰＵ１１は、変圧器３の状態値の情報をセンサ３１から取得し（Ｓ７０）、この状態値をデータ解析する（Ｓ７１）。
【００６２】
ＣＰＵ１１は、取得した状態値が基準値を超えているか否かを判定する（Ｓ７２）。ＣＰＵ１１は、取得した状態値が基準値を超えていないならば（Ｎｏ）、ステップＳ７８の処理に進む。ＣＰＵ１１は、取得した状態値が基準値を超えているならば（Ｙｅｓ）、機器の故障判定処理を行う（Ｓ７３）。
【００６３】
ステップＳ７４において、ＣＰＵ１１は、取得した状態値が基準値を超えている原因が事故であるか否かを判定する。ＣＰＵ１１は、事故でないならば（Ｎｏ）、ステップＳ７８の処理に進み、事故ならば（Ｙｅｓ）、管理情報１６５と照合して（Ｓ７５）、保管庫５１の在庫を確認する（Ｓ７６）。
【００６４】
ステップＳ７７において、ＣＰＵ１１は、保管庫５１に対象機器の在庫があるか否かを判定する。ＣＰＵ１１は、対象機器の在庫があるならば（Ｙｅｓ）、図１１の処理を終了する。ＣＰＵ１１は、対象機器の在庫がないならば（Ｎｏ）、ステップＳ８２に進み、製造会社６に納期を問い合わせる。ＣＰＵ１１は、変圧器３を保管庫５１に補充する納期を製造会社６から取得すると（Ｓ８３）、図１１の処理を終了する。
【００６５】
ステップＳ７８において、ＣＰＵ１１は、正常データ比較処理を行う。ＣＰＵ１１は、取得した状態値が異常であるか否かを判定する（Ｓ７９）。状態値は、基準値の範囲に入っていても、正常データの範囲から逸脱している場合があるからである。ＣＰＵ１１は、取得した状態値が正常ならば（Ｎｏ）、図１１の処理を終了し、取得した状態値が異常ならば（Ｙｅｓ）、余寿命を算出する（Ｓ８０）。つまりＣＰＵ１１は、計測部であるセンサ３１が計測した状態に応じて装置の余寿命を算出する余寿命算出部として機能する。
ＣＰＵ１１は、ある１台の変圧器を監視して得られた寿命値のみでなく、少なくともＩＰＰ業者ごとに予約権発行に係る変圧器３を監視して、余寿命を算出する。
【００６６】
ステップＳ８１において、ＣＰＵ１１は、余寿命が標準補充日数よりも短いか否かを判定する。ＣＰＵ１１は、余寿命が標準補充日数以上ならば（Ｎｏ）、保管庫５１への補充時期を算出し（Ｓ８４）、図１１の処理を終了する。ＣＰＵ１１は、余寿命が標準補充日数よりも短いならば（Ｙｅｓ）、製造会社６にこの変圧器の納期を問い合わせる（Ｓ８２）。ＣＰＵ１１は、変圧器３を保管庫５１に補充する納期を製造会社６から取得し（Ｓ８３）、図１１の処理を終了する。ステップＳ８２の後、製造会社６は、この変圧器３の製造完了後に保管庫５１に補充する。
【００６７】
図１２は、余寿命の算出方法を示すグラフの一例である。グラフの縦軸は、センサ３１から取得した状態値である。グラフの横軸は、経過時間である。
基準日に、状態値が基準値を超え、かつ正常データの範囲から逸脱する。それ以降、図１１のステップＳ７２の判定結果はＹｅｓとなり、ステップＳ７３の機器故障判定処理が行われる。ステップＳ７４の事故判定結果はＮｏとなるので、ステップＳ７８の正常データ比較処理が行われる。更にステップＳ７９で状態値が異常であると判定されるので、余寿命算出処理が行われる。
【００６８】
余寿命算出処理において、ＣＰＵ１１は、第１の方法として、通常稼働状態と異なる異変を見つけ、データ変移より機器がいつ壊れるか予測する。更にＣＰＵ１１は、第２の方法として、負荷運転状況をセンサ出力(油温、巻線温度)と１日あたりの稼働時間と経年とで算出し、あと何年でリプレイスすべきであるかを予測する。
【００６９】
第２の方法では、Arrheniusの法則が適用される。具体的にいうと、巻線温度が９５℃で連続運転した場合、期待寿命がＸ年である。そして前記運転時の巻線温度よりも６Ｋ上がると寿命は半減し、前記運転時の巻線温度より６Ｋ下がると寿命は倍増する。
なおＣＰＵ１１は、第１と第２の方法を両方実施して、余寿命が短く演算された方を選択するとよい。
【００７０】
基準日から２０日後に、余寿命率は６０％と算出される。基準日から５０日後に、余寿命率は９０％と算出される。このとき、算出された余寿命が標準補充日数よりも短くなったならば、製造会社６への納期問い合わせが行われて（Ｓ８２）、製造会社６はこの変圧器の製造に着手する。これにより、実際に故障する時期までに、変圧器３の予備品を保管庫５１に納入することができる。
状態値が故障検出値を超えると、変圧器３が故障したと判定される。このときステップＳ７４の事故判定結果はＹｅｓとなるので、ステップＳ７５〜Ｓ７７までの一連の処理が実行される。
【００７１】
（変形例）
本発明は上記した実施形態に限定されるものではなく、様々な変形例が含まれる。例えば上記した実施形態は、本発明を分かりやすく説明するために詳細に説明したものであり、必ずしも説明した全ての構成を備えるものに限定されるものではない。ある実施形態の構成の一部を他の実施形態の構成に置き換えることが可能であり、ある実施形態の構成に他の実施形態の構成を加えることも可能である。また、各実施形態の構成の一部について、他の構成の追加・削除・置換をすることも可能である。
【００７２】
上記の各構成、機能、処理部、処理手段などは、それらの一部または全部を、例えば集積回路などのハードウェアで実現してもよい。上記の各構成、機能などは、プロセッサがそれぞれの機能を実現するプログラムを解釈して実行することにより、ソフトウェアで実現してもよい。各機能を実現するプログラム、テーブル、ファイルなどの情報は、メモリ、ハードディスク、ＳＳＤ（Solid State Drive）などの記録装置、または、フラッシュメモリカード、ＤＶＤ（Digital Versatile Disk）などの記録媒体に置くことができる。
【００７３】
各実施形態に於いて、制御線や情報線は、説明上必要と考えられるものを示しており、製品上必ずしも全ての制御線や情報線を示しているとは限らない。実際には、殆ど全ての構成が相互に接続されていると考えてもよい。
本発明の変形例として、例えば、次の（ａ）〜（ｅ）のようなものがある。
【００７４】
（ａ）  事業者が運用するサイトは発電設備に限られず、契約対象となる装置は変圧器３に限られない。
（ｂ）  製造会社６が製造した予備品の変圧器３を保管庫５１に納入するまでの期間に対して、気象情報サイト４などを参照した気象情報に基づいて調整してもよく、限定されない。
（ｃ）  リース会社５と製造会社６とは一体であってもよい。また、リース会社５と輸送業者５２とは一体であってもよい。
（ｄ）  違約金は、予備品が納品されるまでの日数に応じたものであってもよい。この場合には、予備品が納品されるまでの日数から免責期間を減算した日数に応じて、違約金が算出される。
（ｅ）  保管庫５１の管理業者や輸送業者５２が、この予約権契約システムＳにアクセスするための端末を有していてもよい。
【符号の説明】
【００７５】
Ｓ  予約権契約システム
１  サーバ
１１  ＣＰＵ
１２  ＲＯＭ
１３  ＲＡＭ
１４  入力部
１５  表示部
１６  記憶部
１６１  予約権契約プログラム
１６２  変圧器情報
１６３  予備品情報
１６４  輸送ルート
１６５  管理情報
１６６  輸送期間調整テーブル
１７  通信部
２１〜２３  端末
３  変圧器
３１  センサ
４  気象情報サイト
５  リース会社
５１  保管庫
５２  輸送業者
６  製造会社
７  ＩＰＰ事業者
８  ＩＰＰ事業者マイページ
８０  ログイン情報領域
８１  契約情報領域
８１１〜８１３  変圧器情報
８２１〜８２３  リプレイス要望ボタン
８３  保管庫情報領域
【図１】
2020191025.tif 000003
【図２】
2020191025.tif 000004
【図３】
2020191025.tif 000005
【図４】
2020191025.tif 000006
【図５】
2020191025.tif 000007
【図６】
2020191025.tif 000008
【図７】
2020191025.tif 000009
【図８Ａ】
2020191025.tif 000010
【図８Ｂ】
2020191025.tif 000011
【図９】
2020191025.tif 000012
【図１０】
2020191025.tif 000013
【図１１】
2020191025.tif 000014
【図１２】
2020191025.tif 000015